(57)【特許請求の範囲】
【請求項１】
ゲッターを内蔵する陰極線管内の電子ビームを偏向させる偏向装置であって、
前記陰極線管内の電子ビームを水平方向に往復偏向させて画面上に往路および復路の走査線を形成するための水平偏向磁界を発生する水平偏向磁界発生手段と、
前記陰極線管内の電子ビームを垂直方向に偏向させるための垂直偏向磁界を発生する垂直偏向磁界発生手段と、
前記ゲッターに生じる磁界による走査線の歪みを補正する補正手段とを備え、
前記補正手段は、電子ビームが往路の画面の左部分の走査時には上向きに湾曲するように補正し、電子ビームが往路の画面の右部分の走査時には下向きに湾曲するように補正し、電子ビームが復路の画面の右部分の走査時には上向きに湾曲するように補正し、電子ビームが復路の画面の左部分の走査時には下向きに湾曲するように補正することを特徴とする偏向装置。
【請求項２】
前記垂直偏向磁界発生手段は、垂直偏向コイルと、前記垂直偏向コイルに垂直偏向電流を供給する電流供給手段とを備え、
前記補正手段は、補正電流を生成する補正電流生成手段と、前記補正電流生成手段により生成された補正電流を前記垂直偏向コイルに供給される垂直偏向電流に重畳させる重畳手段とを備えたことを特徴とする請求項１記載の偏向装置。
【請求項３】
前記補正手段は、前記ゲッターに生じる磁界による走査線の歪みを補正するための磁界を形成するように前記陰極線管に設けられた補助コイルと、補正電流を生成して前記補助コイルに供給する補正電流生成手段とを備えたことを特徴とする請求項１記載の偏向装置。
【請求項４】
前記補正電流生成手段は、
補正波形に関するデータを記憶する記憶手段と、
前記記憶手段に記憶されたデータに基づいて補正波形に対応する電圧信号を出力する電圧出力手段と、
前記電圧出力手段により出力された電圧信号に基づいて前記補正電流を出力する電流出力手段とを備えたことを特徴とする請求項２または３記載の偏向装置。
【請求項５】
前記記憶手段は、複数の走査線に対応する複数の補正波形を示すデータを記憶することを特徴とする請求項４記載の偏向装置。
【請求項６】
前記記憶手段は、基準の補正波形を示すデータおよび垂直走査位置に応じて前記基準の補正波形を修正するためのデータを記憶することを特徴とする請求項４記載の偏向装置。
【請求項７】
前記補正電流生成手段は、
補正波形を算出するための演算式を記憶する記憶手段と、
前記記憶手段に記憶された演算式を用いて補正波形を算出する演算手段と、
前記演算手段により算出された補正波形に対応する電圧信号を出力する電圧出力手段と、
前記電圧出力手段により出力された電圧信号に基づいて前記補正電流を出力する電流出力手段とを備えたことを特徴とする請求項２または３記載の偏向装置。
【請求項８】
陰極線管と、
前記陰極線管内の電子ビームを水平方向に往復偏向させて画面上に復路および往路の走査線を形成するための水平偏向磁界を発生する水平偏向磁界発生手段と、
前記陰極線管内の電子ビームを垂直方向に偏向させるための垂直偏向磁界を発生する垂直偏向磁界発生手段と、
前記陰極線管内に配設されたゲッターと、
前記ゲッターに生じる磁界による走査線の歪みを補正する補正手段とを備え、
前記補正手段は、電子ビームが往路の画面の左部分の走査時には上向きに湾曲するように補正し、電子ビームが往路の画面の右部分の走査時には下向きに湾曲するように補正し、電子ビームが復路の画面の右部分の走査時には上向きに湾曲するように補正し、電子ビームが復路の画面の左部分の走査時には下向きに湾曲するように補正することを特徴とする映像表示装置。
【請求項９】
ゲッターを内蔵する陰極線管内の電子ビームを偏向させる偏向方法であって、前記陰極線管内の電子ビームを水平方向に往復偏向させて画面上に往路および復路の走査線を形成するための水平偏向磁界を発生するとともに、前記陰極線管内の電子ビームを垂直方向に偏向させるための垂直偏向磁界を発生し、電子ビームが往路の画面の左部分の走査時には上向きに湾曲するように補正し、電子ビームが往路の画面の右部分の走査時には下向きに湾曲するように補正し、電子ビームが復路の画面の右部分の走査時には上向きに湾曲するように補正し、電子ビームが復路の画面の左部分の走査時には下向きに湾曲するように補正することを特徴とする偏向方法。
【請求項１０】
ゲッターを内蔵する陰極線管内の電子ビームを偏向させて画面上に走査線を形成することにより映像を表示する映像表示方法であって、前記陰極線管内の電子ビームを水平方向に往復偏向させて画面上に往路および復路の走査線を形成するための水平偏向磁界を発生するとともに、前記陰極線管内の電子ビームを垂直方向に偏向させるための垂直偏向磁界を発生し、電子ビームが往路の画面の左部分の走査時には上向きに湾曲するように補正し、電子ビームが往路の画面の右部分の走査時には下向きに湾曲するように補正し、電子ビームが復路の画面の右部分の走査時には上向きに湾曲するように補正し、電子ビームが復路の画面の左部分の走査時には下向きに湾曲するように補正することを特徴とする映像表示方法。
【発明の詳細な説明】
【０００１】
【発明の属する技術分野】
本発明は、電子ビームを偏向させる偏向装置および偏向方法ならびにそれを用いた映像表示装置および映像表示方法に関する。
【０００２】
【従来の技術】
従来のテレビジョン受像機、ディスプレイ用モニタ装置等の映像表示装置では、一般に、単方向走査方式が用いられている。図１１は従来の単方向走査方式を示す図である。図１１に示すように、単方向走査方式では、画面の左側から右側へ向かってやや斜め下方に走査が行われる。
【０００３】
図１２は従来の映像表示装置の主要部の構成を示すブロック図である。図１２において、信号処理回路２０は、映像信号ＶＤから垂直同期信号Ｖおよび水平同期信号Ｈを抽出するとともに映像信号ＶＤから色信号Ｃを再生し、垂直同期信号Ｖおよび水平同期信号Ｈを垂直偏向回路８０に与え、水平同期信号Ｈを水平偏向回路４０に与え、色信号Ｃを陰極線管（ＣＲＴ）１０に与える。
【０００４】
垂直偏向回路８０は、垂直同期信号Ｖおよび水平同期信号Ｈに同期して、陰極線管１０において電子ビームを垂直方向に偏向させるために鋸歯状の垂直偏向電流ＩＶを陰極線管１０の垂直偏向コイル（図示せず）に供給する。
【０００５】
水平偏向回路４０は、水平同期信号Ｈに同期して、陰極線管１０において電子ビームを水平方向に偏向させるために鋸歯状の水平偏向電流ＩＨを陰極線管１０の水平偏向コイル（図示せず）に供給する。
【０００６】
陰極線管１０においては、水平偏向電流ＩＨに基づく水平偏向磁界により電子ビームが水平方向に偏向されるとともに、垂直偏向電流ＩＶに基づく垂直偏向磁界により電子ビームが垂直方向に偏向される。それにより、図１１に示したような単方向走査が行われる。
【０００７】
図１３は垂直偏向回路８０の構成を示す図である。図１３に示すように、垂直偏向回路８０は、信号発生回路８１、増幅回路８２、垂直偏向コイル８３および抵抗８４を含む。信号発生回路８１は、水平同期信号Ｈおよび垂直同期信号Ｖに応答して鋸歯状の垂直偏向信号ＶＶを出力する。増幅回路８２は垂直偏向信号ＶＶを増幅し、垂直偏向コイル８３に垂直偏向電流ＩＶを供給する。
【０００８】
図１４は陰極線管１０の構造を示す図である。図１４に示すように、陰極線管１０は電子銃１１を備える。電子銃１１から出射される電子ビーム１２は蛍光面１３に照射される。陰極線管１０のネック部の周囲には、電子ビーム１２を偏向させるための垂直偏向コイルおよび水平偏向コイルを有する偏向ヨーク１４が装着されている。
【０００９】
また、陰極線管１０内の下部には、陰極線管１０内の真空度を向上させるためにバリウム等を主成分とする導体からなるゲッター１５が配設されている。製造工程において、陰極線管１０内が排気された後、ゲッター１５に通電することによりゲッター１５を加熱蒸発させて陰極線管１０内の残留ガスを吸着させる。それにより、陰極線管１０内の真空度が向上する。
【００１０】
図１５は図１４の陰極線管１０における電子ビームの走査を示す図である。図１５は陰極線管を正面から見た状態を示す。
【００１１】
画面の左部分の走査時には、水平偏向コイルにより実線で示す下向きの水平偏向磁界Ｂ１が形成される。この水平偏向磁界Ｂ１は所定値から０まで減少するため、ゲッター１５に磁界の減少を妨げる方向に渦電流が流れ、下向きの磁界ｂ１が発生する。この場合、電子ビームは紙面の裏側から表側に向かう方向に出射されるので、電子ビームによる電流Ｉは紙面の表側から裏側に向かう方向を向いている。電子ビームにかかる磁界Ｂの向きが右となり、電子ビームによる電流Ｉの向きが紙面の表側から裏側に向かう方向となるため、フレミングの左手の法則により電子ビームには下向きの力Ｆが作用する。その結果、電子ビームによる走査線１２ａは下方向に湾曲する。
【００１２】
画面の右部分の走査時には、水平偏向コイルにより破線で示す上向きの水平偏向磁界Ｂ２が形成される。この水平偏向磁界Ｂ２は０から所定値まで増加するため、ゲッター１５に磁界の増加を妨げる方向に渦電流が流れ、下向きの磁界ｂ１が発生する。この場合にも、電子ビームは紙面の裏側から表側に向かう方向に出射されるので、電子ビームによる電流Ｉは紙面の表側から裏側に向かう方向を向いている。電子ビームにかかる磁界Ｂの向きが左となり、電子ビームによる電流Ｉの向きが紙面の表側から裏側に向かう方向となるため、フレミングの左手の法則により電子ビームには上向きの力Ｆが作用する。その結果、電子ビームによる走査線１２ｂは上方向に湾曲する。
【００１３】
このように、ゲッター１５の存在により各走査線に歪みが生じる。ゲッター１５が陰極線管の正面視下部に位置する場合、垂直走査により電子ビームが下部に近付くほどゲッター１５による影響により走査線の歪みは大きくなるが、単方向走査方式では、図１１に示したように、全ての走査が画面の左側から右側へ向かって行われるので、歪みは電子ビームがゲッター１５に近付くほど大きくなるが、歪みの方向がほぼ同方向となるため走査線の間隔は上下のペアで考えた場合ほぼ一定に保たれ、また、走査線の歪みの変化は垂直方向で徐々に変化するため、画面全体で見た場合においては走査線の歪みによる影響は検知しにくい。そのため、走査線の歪みによる表示映像の画質の劣化は少ない。
【００１４】
【発明が解決しようとする課題】
近年、同一走査周波数下における走査密度の向上、もしくは同一走査密度下における省電力化を図るために双方向走査方式（往復走査方式）が提案されている。図１６は双方向走査方式の一例を示す図である。図１６に示すように奇数番目の走査線は画面の左側から右側に向かって水平に走査され、偶数番目の走査線は画面の右側から左側へ向かって水平に走査される。
【００１５】
同一走査周波数下における双方向走査方式では、垂直方向における走査線数を倍にすることができる。また、双方向走査方式では、同一走査密度下においては水平偏向周波数を半減できるため電子ビームの偏向のための電力を低減することができ、電源回路の規模を小型化することが可能となる。
【００１６】
しかしながら、双方向走査方式では、以下に説明するように、ゲッター１５による走査線の歪みに基づく表示映像の画質の劣化が大きくなる。
【００１７】
図１７は双方向走査における電子ビームの走査を示す図であり、（ａ）は往路の走査の状態を示し、（ｂ）は復路の走査の状態を示す。図１７も図１５と同様に陰極線管を正面から見た状態を示す。
【００１８】
往路の走査時には、図１７（ａ）に示すように、電子ビームは画面の左側から右側に走査される。この場合には、図１５を用いて説明したように、画面の左部分および画面の右部分の走査時に、下部のゲッター１５に下向きの磁界ｂ１が発生する。それにより、画面の左部分の走査時には、電子ビームにかかる磁界Ｂの向きが右となり、電子ビームには下向きの力Ｆが作用し、画面の右部分の走査時には、電子ビームにかかる磁界Ｂの向きが左となり、電子ビームには上向きの力Ｆが作用する。したがって、画面の左部分の走査時には、電子ビームによる走査線１２ａは下方向に湾曲し、画面の右部分の走査時には、電子ビームによる走査線１２ｂは上方向に湾曲する。
【００１９】
一方、復路の走査時には、図１７（ｂ）に示すように、電子ビームは画面の右側から左側に走査される。画面の右部分の走査時には、水平偏向コイルにより破線で示す上向きの水平偏向磁界Ｂ２が形成される。この水平偏向磁界Ｂ２は所定値から０まで減少するため、ゲッター１５に磁界の減少を妨げる方向に渦電流が流れ、上向きの磁界ｂ２が発生する。画面の右部分の走査時には、水平偏向コイルにより実線で示す下向きの水平偏向磁界Ｂ１が形成される。この水平偏向磁界Ｂ１は０から所定値まで増加するため、ゲッター１５に磁界の増加を妨げる方向に渦電流が流れ、上向きの磁界ｂ２が発生する。それにより、画面の右部分の走査時には、電子ビームにかかる磁界Ｂの向きが右となり、電子ビームには下向きの力Ｆが作用する。画面の左部分の走査時には、電子ビームにかかる磁界Ｂの向きが左となり、電子ビームには上向きの力Ｆが作用する。したがって、画面の右部分の走査時には、電子ビームによる走査線１２ｃは下方向に湾曲し、画面の左部分の走査時には、電子ビームによる走査線１２ｄは上方向に湾曲する。
【００２０】
このようにして、図１８に示すように、往路の走査時の走査線１０１の歪みの形状と復路の走査時における走査線１０２の歪みの形状とが互いに上下方向において逆になる。なお、走査線１０１，１０２の歪みの程度は、垂直走査により、電子ビームが画面下部のゲッターに近付くほど大きくなる。それにより、往路の走査線１０１と復路の走査線１０２との間の間隔が水平方向の位置により異なるとともに、各水平方向の位置での往路の走査線１０１と復路の走査線１０２との間の間隔が交互に増大および減少し、一定にならない。その結果、表示映像の画質が劣化することになる。
【００２３】
本発明の目的は、双方向走査時にゲッターに生じる磁界による表示映像の画質の劣化を防止することができる偏向装置および偏向方法を提供することである。
【００２４】
本発明の他の目的は、双方向走査時にゲッターに生じる磁界による表示映像の画質の劣化を防止することができる映像表示装置および映像表示方法を提供することである。
【００３１】
【課題を解決するための手段】
（１）第１の発明
第１の発明に係る偏向装置は、ゲッターを内蔵する陰極線管内の電子ビームを偏向させる偏向装置であって、陰極線管内の電子ビームを水平方向に往復偏向させて画面上に往路および復路の走査線を形成するための水平偏向磁界を発生する水平偏向磁界発生手段と、陰極線管内の電子ビームを垂直方向に偏向させるための垂直偏向磁界を発生する垂直偏向磁界発生手段と、ゲッターに生じる磁界による走査線の歪みを補正する補正手段とを備え、補正手段は、電子ビームが往路の画面の左部分の走査時には上向きに湾曲するように補正し、電子ビームが往路の画面の右部分の走査時には下向きに湾曲するように補正し、電子ビームが復路の画面の右部分の走査時には上向きに湾曲するように補正し、電子ビームが復路の画面の左部分の走査時には下向きに湾曲するように補正するのである。
【００３２】
本発明に係る偏向装置においては、水平偏向磁界発生手段により発生される水平偏向磁界により陰極線管内の電子ビームが水平方向に往復偏向されるとともに、垂直偏向磁界発生手段により発生される垂直偏向磁界により陰極線管内の電子ビームが垂直方向に偏向される。それにより、画面上に往路および復路の双方向走査による複数の走査線が形成される。
【００３３】
このとき、水平偏向磁界によりゲッターに磁界が生じ、ゲッターに生じる磁界により走査線に歪みが発生する。往路の走査による走査線の歪みの程度と復路の走査による走査線の歪みの程度とは異なる。そのため、往路の走査線の形状および復路の走査線の形状がほぼ等しくなるように補正手段により往路の走査線および復路の走査線の少なくとも一方の形状が補正される。したがって、走査線間の間隔がほぼ一定に保たれ、走査線の歪みによる表示映像の画質の劣化が防止される。
【００３４】
（２）第２の発明
第２の発明に係る偏向装置は、第１の発明に係る偏向装置の構成において、垂直偏向磁界発生手段は、垂直偏向コイルと、垂直偏向コイルに垂直偏向電流を供給する電流供給手段とを備え、補正手段は、補正電流を生成する補正電流生成手段と、補正電流生成手段により生成された補正電流を垂直偏向コイルに供給される垂直偏向電流に重畳させる重畳手段とを備えたものである。
【００３５】
この場合、電流供給手段により垂直偏向コイルに垂直偏向電流が供給されることにより、垂直偏向コイルから垂直偏向磁界が発生される。また、補正電流生成手段により補正電流が生成され、その補正電流が垂直偏向コイルに供給される垂直偏向電流に重畳される。それにより、垂直偏向磁界が補正され、ゲッターに生じる磁界による走査線の歪みが補正される。
【００３６】
（３）第３の発明
第３の発明に係る偏向装置は、第１の発明に係る偏向装置の構成において、補正手段は、ゲッターに生じる磁界による走査線の歪みを補正するための磁界を形成するように陰極線管に設けられた補助コイルと、補正電流を生成して補助コイルに供給する補正電流生成手段とを備えたものである。
【００３７】
この場合、補正電流生成手段により補正電流が生成され、その補正電流が補助コイルに供給される。それにより、補助コイルにより補正電流に基づく磁界が形成され、ゲッターに生じる磁界による走査線の歪みが補正される。
【００３８】
（４）第４の発明
第４の発明に係る偏向装置は、第２または第３の発明に係る偏向装置の構成において、補正電流生成手段は、補正波形に関するデータを記憶する記憶手段と、記憶手段に記憶されたデータに基づいて補正波形に対応する電圧信号を出力する電圧出力手段と、電圧出力手段により出力された電圧信号に基づいて補正電流を出力する電流出力手段とを備えたものである。
【００３９】
この場合、記憶手段に記憶されたデータに基づいて電圧出力手段により補正波形に対応する電圧信号が出力され、電圧信号に基づいて電流出力手段により補正電流が出力される。
【００４０】
（５）第５の発明
第５の発明に係る偏向装置は、第４の発明に係る偏向装置の構成において、記憶手段は、複数の走査線に対応する複数の補正波形を示すデータを記憶するものである。
【００４１】
この場合、複数の走査線に対応する補正データに基づいて複数の補正波形に対応する電圧信号が順次出力される。
【００４２】
（６）第６の発明
第６の発明に係る偏向装置は、第４の発明に係る偏向装置の構成において、記憶手段は、基準の補正波形を示すデータおよび垂直走査位置に応じて基準の補正波形を修正するためのデータを記憶するものである。
【００４３】
この場合、基準の補正波形を示すデータおよび基準の補正波形を修正するためのデータに基づいて垂直走査位置ごとに基準の補正波形が順次修正され、修正される補正波形に対応する電圧信号が順次出力される。
【００４４】
（７）第７の発明
第７の発明に係る偏向装置は、第２または第３の発明に係る偏向装置の構成において、補正電流生成手段は、補正波形を算出するための演算式を記憶する記憶手段と、記憶手段に記憶された演算式を用いて補正波形を算出する演算手段と、演算手段により算出された補正波形に対応する電圧信号を出力する電圧出力手段と、電圧出力手段により出力された電圧信号に基づいて補正電流を出力する電流出力手段とを備えたものである。
【００４５】
この場合、記憶手段に記憶された演算式を用いて演算手段により補正波形が算出され、算出された補正波形に対応する電圧信号が電圧出力手段により出力され、電圧信号に基づいて電流出力手段により補正電流が出力される。
【００４８】
（８）第８の発明
第８の発明に係る映像表示装置は、陰極線管と、陰極線管内の電子ビームを水平方向に往復偏向させて画面上に復路および往路の走査線を形成するための水平偏向磁界を発生する水平偏向磁界発生手段と、陰極線管内の電子ビームを垂直方向に偏向させるための垂直偏向磁界を発生する垂直偏向磁界発生手段と、陰極線管内に配設されたゲッターと、ゲッターに生じる磁界による走査線の歪みを補正する補正手段とを備え、補正手段は、電子ビームが往路の画面の左部分の走査時には上向きに湾曲するように補正し、電子ビームが往路の画面の右部分の走査時には下向きに湾曲するように補正し、電子ビームが復路の画面の右部分の走査時には上向きに湾曲するように補正し、電子ビームが復路の画面の左部分の走査時には下向きに湾曲するように補正するものである。
【００４９】
本発明に係る映像表示装置においては、水平偏向磁界発生手段により発生される水平偏向磁界により陰極線管内の電子ビームが水平方向に往復偏向されるとともに、垂直偏向磁界発生手段により発生される垂直偏向磁界により陰極線管内の電子ビームが垂直方向に偏向される。それにより、画面上に往路および復路の双方向走査による複数の走査線が形成される。
【００５０】
このとき、水平偏向磁界によりゲッターに磁界が生じ、ゲッターに生じる磁界により走査線に歪みが発生する。往路の走査による走査線の歪みの程度と復路の走査による走査線の歪みの程度とは異なる。そのため、往路の走査線の形状および復路の走査線の形状がほぼ等しくなるように補正手段により往路の走査線および復路の走査線の少なくとも一方の形状が補正される。したがって、走査線間の間隔がほぼ一定に保たれ、走査線の歪みによる表示映像の画質の劣化が防止される。
【００５３】
（９）第９の発明
第９の発明に係る偏向方法は、ゲッターを内蔵する陰極線管内の電子ビームを偏向させる偏向方法であって、陰極線管内の電子ビームを水平方向に往復偏向させて画面上に往路および復路の走査線を形成するための水平偏向磁界を発生するとともに、陰極線管内の電子ビームを垂直方向に偏向させるための垂直偏向磁界を発生し、電子ビームが往路の画面の左部分の走査時には上向きに湾曲するように補正し、電子ビームが往路の画面の右部分の走査時には下向きに湾曲するように補正し、電子ビームが復路の画面の右部分の走査時には上向きに湾曲するように補正し、電子ビームが復路の画面の左部分の走査時には下向きに湾曲するように補正するものである。
【００５４】
本発明に係る偏向方法においては、水平偏向磁界により陰極線管内の電子ビームが水平方向に往復偏向されるとともに、垂直偏向磁界により陰極線管内の電子ビームが垂直方向に偏向される。それにより、画面上に往路および復路の双方向走査による複数の走査線が形成される。
【００５５】
このとき、往路の走査線の形状および復路の走査線の形状がほぼ等しくなるように往路の走査線および復路の走査線の少なくとも一方の形状が補正される。したがって、走査線間の間隔がほぼ一定に保たれ、走査線の歪みによる表示映像の画質の劣化が防止される。
【００５８】
（１０）第１０の発明
第１０の発明に係る映像表示方法は、ゲッターを内蔵する陰極線管内の電子ビームを偏向させて画面上に走査線を形成することにより映像を表示する映像表示であって、陰極線管内の電子ビームを水平方向に往復偏向させて画面上に往路および復路の走査線を形成するための水平偏向磁界を発生するとともに、陰極線管内の電子ビームを垂直方向に偏向させるための垂直偏向磁界を発生し、電子ビームが往路の画面の左部分の走査時には上向きに湾曲するように補正し、電子ビームが往路の画面の右部分の走査時には下向きに湾曲するように補正し、電子ビームが復路の画面の右部分の走査時には上向きに湾曲するように補正し、電子ビームが復路の画面の左部分の走査時には下向きに湾曲するように補正するものである。
【００５９】
本発明に係る映像表示方法においては、水平偏向磁界により陰極線管内の電子ビームが水平方向に往復偏向されるとともに、垂直偏向磁界により陰極線管内の電子ビームが垂直方向に偏向される。それにより、画面上に往路および復路の双方向走査による複数の走査線が形成される。
【００６０】
このとき、往路の走査線の形状および復路の走査線の形状がほぼ等しくなるように往路の走査線および復路の走査線の少なくとも一方の形状が補正される。したがって、走査線間の間隔がほぼ一定に保たれ、走査線の歪みによる表示映像の画質の劣化が防止される。
【００６１】
【発明の実施の形態】
図１は本発明の第１の実施例における映像表示装置の主要部の構成を示すブロック図である。
【００６２】
図１の映像表示装置は、陰極線管（ＣＲＴ）１０、信号処理回路２０、垂直偏向回路３０、水平偏向回路４０および波形補正回路５０を含む。
【００６３】
信号処理回路２０は、映像信号ＶＤから垂直同期信号Ｖおよび水平同期信号Ｈを抽出するとともに映像信号ＶＤから色信号Ｃを再生し、垂直同期信号Ｖおよび水平同期信号Ｈを垂直偏向回路３０に与え、水平同期信号Ｈを水平偏向回路４０に与え、色信号Ｃを陰極線管１０に与える。
【００６４】
波形補正回路５０は、後述する波形補正電流ＩＡを垂直偏向回路３０に供給する。垂直偏向回路３０は、水平同期信号Ｈおよび垂直同期信号Ｖに同期して、波形補正回路５０から与えられる波形補正電流ＩＡに基づいて補正された垂直偏向電流（以下、補正垂直偏向電流と呼ぶ）ＩＡＶを陰極線管１０の垂直偏向コイル（図示せず）に供給する。
【００６５】
水平偏向回路４０は、水平同期信号Ｈに同期して、陰極線管４において電子ビームを水平方向に偏向させるための鋸歯状の水平偏向電流ＩＨを陰極線管１０の水平偏向コイル（図示せず）に供給する。
【００６６】
陰極線管１０においては、水平偏向電流ＩＨに基づく水平偏向磁界により電子ビームが水平方向に偏向されるとともに、補正垂直偏向電流ＩＡＶに基づく垂直偏向磁界により電子ビームが垂直方向に偏向される。陰極線管１０の構成は、図１４に示した構成と同様である。
【００６７】
図２は図１の映像表示装置における垂直偏向回路３０および波形補正回路５０の構成を示す図である。
【００６８】
図２に示すように、垂直偏向回路３０は、信号発生回路３１、増幅回路３２、垂直偏向コイル３３および抵抗３４を含む。波形補正回路５０は、補正波形発生回路５１、増幅回路５２およびドライブトランス５３を含む。ドライブトランス５３の一次巻線５３ａは増幅回路５２の出力端子と接地端子との間に接続され、二次巻線５３ｂは増幅回路３２の出力端子と垂直偏向コイル３３との間に接続されている。
【００６９】
信号発生回路３１は、水平同期信号Ｈおよび垂直同期信号Ｖに同期して鋸歯状の垂直偏向信号ＶＶを発生する。増幅回路３２は、垂直偏向信号ＶＶを増幅し、垂直偏向電流ＩＶをドライブトランス５３の二次巻線５３ｂに供給する。
【００７０】
一方、補正波形発生回路５１は、波形補正信号ＶＡを発生する。増幅回路５２は、波形補正信号ＶＡを増幅し、波形補正電流ＩＡをドライブトランス５３の一次巻線５３ａに供給する。それにより、ドライブトランス５３の二次巻線５３ｂに波形補正電流ＩＡに基づく誘導電流が流れ、垂直偏向コイル３３には垂直偏向電流ＩＶに波形補正電流ＩＡが重畳された補正垂直偏向電流ＩＡＶが供給される。
【００７１】
図３（ａ）は垂直偏向電流ＩＶの波形図、図３（ｂ）は垂直偏向電流ＩＶの一部の拡大図、図３（ｃ）は波形補正電流ＩＡの波形図、図３（ｄ）は補正垂直偏向電流ＩＡＶの波形図である。
【００７２】
図３（ａ）に示すように、垂直偏向電流ＩＶは鋸歯状に変化する。垂直偏向電流ＩＶの周期は１垂直走査期間である。図３（ｂ）に示すように、垂直偏向電流ＩＶは、詳細には１水平走査期間の周期で階段状に変化している。
【００７３】
図３（ｃ）に示すように、波形補正電流ＩＡは、往路の画面の左部分の走査時には上向きに湾曲するように変化し、往路の画面の右部分の走査時には下向きに湾曲するように変化し、復路の画面の右部分の走査時には上向きに湾曲するように変化し、復路の画面の左部分の走査時には下向きに湾曲するように変化する。
【００７４】
図３（ｄ）に示すように、補正垂直偏向電流ＩＡＶは、垂直偏向電流ＩＶに波形補正電流ＩＡを重畳させた波形を有する。
【００７５】
本実施例の映像表示装置においては、往路の画面の左部分の走査時には、補正垂直偏向電流ＩＡＶが増加するので、ゲッター１５に生じる磁界により下方向に湾曲する走査線が上方向に補正される。また、往路の画面の右部分の走査時には、補正垂直偏向電流ＩＡＶが減少するので、ゲッター１５に生じる磁界により上方向に湾曲する走査線が下方向に補正される。
【００７６】
また、復路の画面の右部分の走査時には、補正垂直偏向電流ＩＡＶが増加するので、ゲッター１５に生じる磁界により下方向に湾曲する走査線が上方向に補正される。また、復路の画面の左部分の走査時には、補正垂直偏向電流ＩＡＶが減少するので、ゲッター１５に生じる磁界により上方向に湾曲する走査線が下方向に補正される。
【００７７】
このようにして、往路および復路の走査線が直線状になる。したがって、往路および復路の走査線間の間隔が一定となり、表示映像の画質の劣化が生じない。
【００７８】
本実施例では、垂直偏向回路３０が垂直偏向磁界発生手段に相当し、水平偏向回路４０が水平偏向磁界発生手段に相当し、波形補正回路５０が補正手段に相当する。また、垂直偏向回路３０が電流供給手段に相当し、垂直偏向コイル３３が垂直偏向コイルに相当する。また、補正波形発生回路５１および増幅回路５２が補正電流生成手段を構成し、増幅回路５２が電流出力手段に相当し、ドライブトランス５３が重畳手段に相当する。
【００７９】
図４は図２の補正波形発生回路５１の構成の第１の例を示すブロック図である。
【００８０】
図４の補正波形発生回路５１は、補正データ蓄積メモリ５１０、読み出しパルス発生回路５１１、Ｄ／Ａ変換器（デジタル・アナログ変換器）５１２およびローパスフィルタ（ＬＰＦ）５１３を含む。
【００８１】
本例では、補正データ蓄積メモリ５１０が記憶手段に相当し、Ｄ／Ａ変換器５１２およびローパスフィルタ５１３が電圧出力手段に相当する。
【００８２】
補正データ蓄積メモリ５１０は、１画面分の補正データを記憶する。往路の走査線に対応する補正データは、図３の波形補正電流ＩＡの往路の波形に対応する値を有する。また、復路の走査線に対応する補正データは、図３の波形補正電流ＩＡの復路の波形に対応する値を有する。画面の下部における補正データの変化量は、画面の上部における補正データの変化量に比べて大きく設定されている。
【００８３】
読み出しパルス発生回路５１１は、水平同期信号Ｈ、垂直同期信号Ｖおよびクロック信号ＣＬＫに同期して読み出しパルス信号ＲＤを発生する。補正データ蓄積メモリ５１０は、読み出しパルス信号ＲＤに応答して各走査線ごとに補正データを出力する。
【００８４】
Ｄ／Ａ変換器５１２は、補正データ蓄積メモリ５１０から出力された補正データをアナログ信号に変換する。ローパスフィルタ５１３は、Ｄ／Ａ変換器５１２の出力信号の低周波成分を波形補正信号ＶＡとして出力する。
【００８５】
なお、補正データ蓄積メモリ５１０に１画面の全ての画素に対応する補正データを記憶させてもよく、あるいは間引かれた画素に対応する補正データを記憶させてもよい。
【００８６】
図５は図２の補正波形発生回路５１の構成の第２の例を示すブロック図である。
【００８７】
図５の補正波形発生回路５１は、読み出しパルス発生回路５１４、水平方向補正データ蓄積メモリ５１５、垂直方向補正データ蓄積メモリ５１６、Ｄ／Ａ変換器５１７，５１８、ローパスフィルタ５１９，５２０および可変利得増幅器５２１を含む。
【００８８】
本例では、水平方向補正データ蓄積メモリ５１５および垂直方向補正データ蓄積メモリ５１６が記憶手段に相当し、Ｄ／Ａ変換器５１７，５１８、ローパスフィルタ５１９，５２０および可変利得増幅器５２１が電圧出力手段に相当する。
【００８９】
水平方向補正データ蓄積メモリ５１５は、１水平走査期間分の水平補正データを記憶する。水平補正データは、１走査線に対応する基準の補正波形を示す。また、垂直方向補正データ蓄積メモリ５１６は、垂直走査位置ごとに垂直補正データを記憶する。垂直補正データは、垂直走査位置ごとに水平補正データに乗じる係数を示している。
【００９０】
読み出しパルス発生回路５１４は、水平同期信号Ｈ、垂直同期信号Ｖおよびクロック信号ＣＬＫに同期して水平方向読み出しパルスＲＨおよび垂直方向読み出しパルスＲＶを発生する。水平方向補正データ蓄積メモリ５１５は、水平方向読み出しパルスＲＨに応答して水平補正データを出力する。垂直方向補正データ蓄積メモリ５１６は、垂直方向読み出しパルスＲＶに応答して垂直補正データを出力する。
【００９１】
Ｄ／Ａ変換器５１７は、水平方向補正データ蓄積メモリ５１５から出力された水平方向補正データをアナログ信号に変換する。ローパスフィルタ５１９は、Ｄ／Ａ変換器５１７の出力信号の低周波成分を波形補正信号ｖａとして可変利得増幅器５２１に与える。Ｄ／Ａ変換器５１８は、垂直方向補正データ蓄積メモリ５１６から出力された垂直方向補正データをアナログ信号に変換する。ローパスフィルタ５２０は、Ｄ／Ａ変換器５１８の出力信号の低周波成分を利得制御信号Ｇとして可変利得増幅器５２１に与える。
【００９２】
可変利得増幅器５２１は、ローパスフィルタ５２０から与えられた利得制御信号Ｇに基づいてローパスフィルタ５１９から与えられた波形補正信号ｖａを増幅し、波形補正信号ＶＡとして出力する。
【００９３】
なお、水平方向補正データ蓄積メモリ５１５に１走査線の全ての画素に対応する水平方向補正データを記憶させてもよく、あるいは１走査線の間引かれた画素に対応する水平方向補正データを記憶させてもよい。
【００９４】
図６は図２の補正波形発生回路５１の構成の第３の例を示すブロック図である。
【００９５】
図６の補正波形発生回路５１は、演算回路５２１、演算式格納メモリ５２２、Ｄ／Ａ変換器５２３およびローパスフィルタ５２４を含む。
【００９６】
本例では、演算式格納メモリ５２２が記憶手段に相当し、演算回路５２１が演算手段に相当し、Ｄ／Ａ変換器５２３およびローパスフィルタ５２４が電圧出力手段に相当する。
【００９７】
演算式格納メモリ５２２は、各水平走査位置および各垂直走査位置における補正データを算出するための近似演算式を記憶する。演算回路５２１は、水平同期信号Ｈ、垂直同期信号Ｖおよびクロック信号ＣＬＫに同期して、演算式格納メモリ５２２に記憶される近似演算式を用いて各水平走査位置および各垂直走査位置における補正データを算出して出力する。
【００９８】
Ｄ／Ａ変換器５２３は、演算回路５２１から出力された補正データをアナログ信号に変換する。ローパスフィルタ５２４は、Ｄ／Ａ変換器５２３の出力信号の低周波成分を波形補正信号ＶＡとして出力する。
【００９９】
なお、演算回路５２１は、１画面の全ての画素に対応する補正データを算出してもよく、あるいは間引かれた画素に対応する補正データを算出してもよい。
【０１００】
図７は本発明の第２の実施例における映像表示装置の主要部の構成を示すブロック図である。
【０１０１】
図７の映像表示装置は、陰極線管１０ａ、信号処理回路２０、水平偏向回路４０、垂直偏向回路８０および波形補正回路６０を含む。
【０１０２】
図７の映像表示装置における信号処理回路２０および水平偏向回路４０の構成および動作は図１の映像表示装置における信号処理回路２０および水平偏向回路４０の構成および動作と同様である。また、図７の映像表示装置における垂直偏向回路８０の構成および動作は図１２の映像表示装置における垂直偏向回路８０の構成および動作と同様である。波形補正回路６０は、波形補正電流Ｉａを陰極線管１０ａに設けられた後述する補助コイルに供給する。
【０１０３】
本実施例においては、補助コイル１６および波形補正回路６０が補正手段を構成し、補助コイル１６が補助コイルに相当し、波形補正回路６０が補正電流生成手段に相当する。
【０１０４】
図８は図７の映像表示装置における陰極線管１０ａの構造を示す図である。図８の陰極線管１０ａが図１４の陰極線管１０と異なるのは、陰極線管１０のネック部の周囲を取り囲むように補助コイル１６が設けられている点である。図８の陰極線管１０ａの他の部分の構成は、図１３の陰極線管１０の構成と同様である。
【０１０５】
図９は図７の映像表示装置における波形補正回路６０の構成を示す図である。図９に示すように、波形補正回路６０は、補正波形発生回路６１および増幅回路６２を含む。補正波形発生回路６１は、補正波形信号Ｖａを発生する。増幅回路６２は、波形補正信号Ｖａを増幅し、波形補正電流Ｉａを補助コイル１６に供給する。
【０１０６】
なお、補正波形発生回路６１の構成は、図５、図６または図７に示した補正波形発生回路５１の構成と同様である。
【０１０７】
図１０は波形補正回路６０により供給される波形補正電流Ｉａの波形図である。
【０１０８】
図１０に示すように、波形補正電流Ｉａは、往路の画面の左部分の走査時には正極性で上向きに湾曲するように変化し、往路の画面の右部分の走査時には負極性で下向きに湾曲するように変化し、復路の画面の右部分の走査時には正極性で上向きに湾曲するように変化し、復路の画面の左部分の走査時には負極性で下向きに湾曲するように変化する。
【０１０９】
図９の補助コイル１６は、波形補正電流Ｉａに基づいて、陰極線管１０ａ内で図１７のゲッター１５に生じる磁界ｂ１，ｂ２を打ち消す方向の磁界を発生するように配置される。
【０１１０】
本実施例の映像表示装置においては、往路の画面の左部分の走査時には、波形補正電流Ｉａが正極性になり、ゲッター１５に生じる磁界による下方向への走査線の湾曲が上方向に補正される。また、往路の画面の右部分の走査時には、波形補正電流Ｉａが負極性となり、ゲッター１５に生じる磁界による上方向への走査線の湾曲が下方向に補正される。
【０１１１】
一方、復路の画面の右部分の走査時には、波形補正電流Ｉａが正極性となり、ゲッター１５に発生する磁界による下方向への走査線の湾曲が上方向に補正される。また、復路の画面の左部分の走査時には、波形補正電流Ｉａが負極性となり、ゲッター１５に生じる磁界による上方向への走査線の湾曲が下方向に補正される。
【０１１２】
このようにして、往路および復路の走査線が直線状になる。したがって、往路および復路の走査線間の間隔が一定となり、表示映像の画質の劣化が生じない。
【０１１３】
なお、図８の例では、補助コイル１６を陰極線管１０ａのネック部に設けているが、ゲッター１５に生じる磁界による走査線の歪みが補正されれば、補助コイル１６を他の位置に設けてもよい。
【０１１４】
なお、上記第１および第２の実施例では、往路および復路の走査線をともに直線状に補正しているが、往路または復路のいずれか一方の走査線を他方の走査線と同じ形状に補正してもよい。その場合には、各走査線の形状は直線状にならないが、往路および復路の走査線間の間隔を一定に保つことができる。したがって、表示映像の画質の劣化が生じない。
【０１１５】
【発明の効果】
本発明によれば、ゲッターに生じる磁界による走査線の歪みが補正されるので、走査線の歪みによる表示映像の画質の劣化が防止される。
【０１１６】
また、双方向走査において往路の走査線の形状および復路の走査線の形状がほぼ等しくなるように往路の走査線および復路の走査線の少なくとも一方の形状が補正されるので、走査線間の間隔がほぼ一定に保たれ、走査線の歪みによる表示映像の画質の劣化が防止される。
【図面の簡単な説明】
【図１】本発明の第１の実施例における映像表示装置の主要部の構成を示すブロック図
【図２】図１の映像表示装置における垂直偏向回路および波形補正回路の構成を示す図
【図３】垂直偏向電流の波形図、垂直偏向電流の一部の拡大図、波形補正電流の波形図および補正垂直偏向電流の波形図
【図４】図２の補正波形発生回路の構成の第１の例を示すブロック図
【図５】図２の補正波形発生回路の構成の第２の例を示すブロック図
【図６】図２の補正波形発生回路の構成の第３の例を示すブロック図
【図７】本発明の第２の実施例における映像表示装置の主要部の構成を示すブロック図
【図８】図７の映像表示装置における陰極線管の構造を示す図
【図９】図７の映像表示装置における波形補正回路の構成を示す図
【図１０】図７の波形補正回路により供給される波形補正電流の波形図
【図１１】単方向走査方式を示す図
【図１２】従来の映像表示装置の主要部の構成を示すブロック図
【図１３】図１２の映像表示装置における垂直偏向回路の構成を示す図
【図１４】陰極線管の構造を示す図
【図１５】図１４の陰極線管における電子ビームの走査を示す図
【図１６】双方向走査方式を示す図
【図１７】双方向走査における電子ビームの走査を示す図
【図１８】双方向走査における往路および復路の走査線を示す図
【符号の説明】
１０，１０ａ  陰極線管
１１  電子銃
１２  電子ビーム
１３  蛍光面
１４  偏向ヨーク
１５  ゲッター
１６  補助コイル
２０  信号処理回路
３０，８０  垂直偏向回路
３１  信号発生回路
３２，５２，６２  増幅回路
３３  垂直偏向コイル
３４  抵抗
４０  水平偏向回路
５０，６０  波形補正回路
５１，６１  補正波形発生回路
５３  ドライブトランス
【図１】
0004028109.tif 000002
【図２】
0004028109.tif 000003
【図３】
0004028109.tif 000004
【図４】
0004028109.tif 000005
【図５】
0004028109.tif 000006
【図６】
0004028109.tif 000007
【図７】
0004028109.tif 000008
【図８】
0004028109.tif 000009
【図９】
0004028109.tif 000010
【図１０】
0004028109.tif 000011
【図１１】
0004028109.tif 000012
【図１２】
0004028109.tif 000013
【図１３】
0004028109.tif 000014
【図１４】
0004028109.tif 000015
【図１５】
0004028109.tif 000016
【図１６】
0004028109.tif 000017
【図１７】
0004028109.tif 000018
【図１８】
0004028109.tif 000019